(57)【要約】【課題】  引戸の設置後に、戸車の高さ方向及び巾方向の位置調整を容易且つ精度良く行うことを可能にする戸車装置を提供する。【解決手段】  引戸１１の下端角部に取り付けられて、戸車１２を引戸１１の高さ方向Ｘ及び巾方向Ｙに位置調整可能に設置する、取付枠１３と戸車支持枠１４とからなる戸車装置１０において、  取付枠１３に設けられたネジ機構を介して、取付枠１３の内側の戸車収容部１５で戸車支持枠１４を揺動又はスライド移動させることにより、戸車１２の位置調整が行われるようになっており、且つネジ機構の操作は、取付枠１３の側面壁部１６に露出する回転操作部１７，１８を介して行われる。また回転操作部１７，１８は、側面壁部１６において、戸車支持枠１４を挟んだ取付枠１３の前方端面壁部１９とは反対側に露出している。【選択図】      図３
2005155271.tif 000002
【特許請求の範囲】
【請求項１】
引戸の下端角部に取り付けられて、戸車を前記引戸の高さ方向及び巾方向に位置調整可能に設置する、取付枠と戸車支持枠とからなる戸車装置において、
前記取付枠に設けられたネジ機構を介して、前記取付枠の内側の戸車収容部で前記戸車支持枠を揺動又はスライド移動させることにより、前記戸車の位置調整が行われるようになっており、
且つ前記ネジ機構の操作は、前記取付枠の側面壁部に露出する回転操作部を介して行われる戸車装置。
【請求項２】
前記回転操作部は、前記側面壁部において、前記戸車支持枠を挟んだ前記取付枠の前方端面壁部とは反対側に露出している請求項１に記載の戸車装置。
【請求項３】
前記戸車を前記引戸の高さ方向に位置調整可能とするネジ機構は、前記取付枠の天面壁部の長手方向と平行に延設すると共に、回転可能に支持されて前記戸車収容部の上部に設けられるネジロットと、該ネジロットに沿って進退可能に螺着されるスライダー部材と、該ネジロットに固着されるロッド側歯車と、前記側面壁部に回転可能に支持されると共に前記回転操作部を備え、且つ前記ロッド側歯車と一体となってギア機構を構成する操作部側歯車を有する上下調整用回転体と、前記戸車収容部に上下動可能に収容された前記戸車支持枠の上部に設けられて前記スライダー部材と接続することにより、前記スライダー部材の進退に伴って前記戸車支持枠を上下動させる上下動接続部とからなる請求項１又は２に記載の戸車装置。
【請求項４】
前記戸車を前記引戸の巾方向に位置調整可能とするネジ機構は、両側の前記側面壁部に跨るように設けられて回転可能に支持される巾方向調整用ネジロッドと、該巾方向調整用ネジロットに沿って巾方向に進退可能に螺着されると共に、前記戸車支持枠が連結される戸車基台部とからなる請求項１〜３のいずれかに記載の戸車装置。
【請求項５】
前記戸車収容部の上部に設けられる前記ネジロットは、前記取付枠の前方端面壁部に露出する端面回転操作部からの操作によっても回転する請求項１〜４のいずれかに記載の戸車装置。
【発明の詳細な説明】
【技術分野】
【０００１】
本発明は、引戸の下端角部に取り付けられて、戸車を前記引戸の高さ方向及び巾方向に位置調整可能に設置する、取付枠と戸車支持枠とからなる戸車装置に関する。
【背景技術】
【０００２】
住宅建築物の内部において、例えば隣接する部屋と部屋との間を仕切る仕切壁に開口形成された出入口を開閉するための建具として、溝やレールに沿って引き滑らせながら出入口を開閉する引戸が多用されている。引戸によれば、丁番等の金物を軸として回転するような形式で出入口を開閉する開戸と比較して、出入口を開閉する際の戸の占有領域をコンパクトにすることができ、建物内の空間をより有効に利用することが可能になる。また、引戸には、例えば床面に敷設したレールに沿った当該引戸のスライド移動による出入口の開閉を軽快に行うことができるようにするために、その下端部に戸車が取り付けられる。これらの戸車は、引戸の下端角部にビス等を介して埋め込むように取り付けられる本体ケース（取付枠）と、この本体ケースの内側の収容部に収容される、戸車を回転自在に軸支した戸車本体（戸車支持枠）とからなる戸車装置を用いることにより、引戸の下端部の所定の位置に強固且つ安定した状態で設置されることになる。
【０００３】
一方、引戸は、これを例えば出入口の周囲の開口枠等の内側に設置する際に、当該引戸や開口枠等の寸法誤差や施工誤差等の影響を受けて、開口枠等に対して傾いた状態で設置されることにより、周囲の開口枠等との間に隙間を生じる場合がある。また、引戸の枠体を構成する縦枠や横枠が乾燥収縮等の影響を受けることにより、縦枠や横枠に撓みや反りが生じて引戸の巾方向に枠体が変形すると、例えば引戸が複数枚重ねて配置される引違戸である場合や、引戸が戸袋に出し入れ可能に収容されるものである場合に、例えば引戸のスライド移動時に相互に接触し合ったり、引戸が戸袋の開口縁部に接触することになって、引戸の円滑なスライド移動に障害を及ぼすことになると共に、引戸が破損しやすくなる。
【０００４】
これに対して、例えば開口枠等の内側に引戸を設置した後に、必要に応じて、戸車を引戸の高さ方向及び巾方向に位置調整可能として、引戸の傾きの修正を行ったり、引戸のスライド移動時における他の引戸や戸袋との接触を回避できるようにした戸車装置が開示されている（例えば、特許文献１参、特許文献２参照）。
【特許文献１】特開平９−１２５８０３号公報
【特許文献２】特開平１０−２５９６８３号公報
【発明の開示】
【発明が解決しようとする課題】
【０００５】
しかしながら、引戸の設置後に、引戸の高さ方向及び巾方向に戸車の位置調整を可能とした上記従来の戸車装置によれば、いずれも、これらの位置調整を行うための操作は、引戸の小口面に沿って配置される部分である本体ケース（取付枠）の前方端面壁部に露出して設けられた、回転機構やスライド機構等に対する操作部を介して行うものであるため、十分な位置調整を行うことができない場合がある。すなわち、これらの操作部を介した戸車の位置調整は、引戸の小口面から行う必要があるため、当該小口面と、例えば出入口の周囲の開口枠の内側面との間に相当の空間が残置された状態でなければ、操作を行うことが難しく、例えば開口枠の内側面に引戸の小口面を当接させた状態のまま、隙間を見ながら引戸の傾きを精度良く調整することは困難である。
【０００６】
また、引戸が戸袋に出し入れ可能に収容されるものである場合には、引戸を戸袋から引き出して出入口を閉塞した時でも、引戸の後端部は戸袋の内部に隠れている状態となるため、引戸の後端部側の小口面に対して操作を行うことは不可能である。したがって、このような場合、例えば戸袋の開口縁部に沿って取り付けられた縦枠カバー材を一旦撤去して引戸を取り外した後に、戸車の位置調整を行ってから再び引戸を設置して縦枠カバー材を取り付け直すといった作業が必要になって、多くの手間を要することになると共に、引戸を設置したままの状態で、戸車の位置調整を精度良く行うことは困難である。
【０００７】
本発明は、このような従来の課題に着目してなされたもので、引戸の設置後に、戸車の高さ方向及び巾方向の位置調整を容易且つ精度良く行うことを可能にする戸車装置を提供することを目的とする。
【課題を解決するための手段】
【０００８】
本発明は、引戸の下端角部に取り付けられて、戸車を前記引戸の高さ方向及び巾方向に位置調整可能に設置する、取付枠と戸車支持枠とからなる戸車装置において、前記取付枠に設けられたネジ機構を介して、前記取付枠の内側の戸車収容部で前記戸車支持枠を揺動又はスライド移動させることにより、前記戸車の位置調整が行われるようになっており、且つ前記ネジ機構の操作は、前記取付枠の側面壁部に露出する回転操作部を介して行われる戸車装置を提供することにより、上記目的を達成したものである。
【０００９】
そして、本発明の戸車装置によれば、前記回転操作部は、前記側面壁部において、前記戸車支持枠を挟んだ前記取付枠の前方端面壁部とは反対側に露出していることが好ましい。
【００１０】
また、本発明の戸車装置によれば、前記戸車を前記引戸の高さ方向に位置調整可能とするネジ機構は、前記取付枠の天面壁部の長手方向と平行に延設すると共に、回転可能に支持されて前記戸車収容部の上部に設けられるネジロットと、該ネジロットに沿って進退可能に螺着されるスライダー部材と、該ネジロットに固着されるロッド側歯車と、前記側面壁部に回転可能に支持されると共に前記回転操作部を備え、且つ前記ロッド側歯車と一体となってギア機構を構成する操作部側歯車を有する上下調整用回転体と、前記戸車収容部に上下動可能に収容された前記戸車支持枠の上部に設けられて前記スライダー部材と接続することにより、前記スライダー部材の進退に伴って前記戸車支持枠を上下動させる上下動接続部とからなることが好ましい。
【００１１】
さらに、本発明の戸車装置によれば、前記戸車を前記引戸の巾方向に位置調整可能とするネジ機構は、両側の前記側面壁部に跨るように設けられて回転可能に支持される巾方向調整用ネジロッドと、該巾方向調整用ネジロットに沿って巾方向に進退可能に螺着されると共に、前記戸車支持枠が連結される戸車基台部とからなることが好ましい。
【００１２】
さらにまた、本発明の戸車装置によれば、前記戸車収容部の上部に設けられる前記ネジロットは、前記取付枠の前方端面壁部に露出する端面回転操作部からの操作によっても回転することが好ましい。
【００１３】
ここで、上記記載において、引戸の巾方向は、引戸の厚さ方向でもある、引戸の小口面における巾方向を意味するものであり、取付枠の前方端面壁部は、引戸の小口面に沿って配設される端面壁部を意味するものあって、引戸の前端の小口面に配設される端面壁部及び後端の小口面に配設される端面壁部の双方を含むものである。
【発明の効果】
【００１４】
本発明の戸車装置によれば、引戸の設置後に、戸車の高さ方向及び巾方向の位置調整を容易且つ精度良く行うことができる。
【発明を実施するための最良の形態】
【００１５】
本発明の好ましい一実施形態に係る戸車装置１０は、図１に示すように、引戸１１の下端角部に取り付けられて、戸車１２を引戸１１の高さ方向Ｘ及び巾方向Ｙに位置調整可能に、強固且つ安定した状態で設置するために用いられるものである。
【００１６】
すなわち、本実施形態の戸車装置１０は、図２（ａ）〜（ｃ）及び図３（ａ），（ｂ）に示すように、扁平な中空箱形形状の取付枠１３と、戸車１２を回転自在に軸支した戸車支持枠１４とからなり、取付枠１３に設けられたネジ機構を介して、取付枠１３の内側の戸車収容部１５で戸車支持枠１４を揺動又はスライド移動させることにより、戸車１２の高さ方向Ｘ及び巾方向Ｙの位置調整が行われるようになっており、且つネジ機構の操作は、取付枠１２の側面壁部１６に露出する回転操作部１７，１８を介して行われるようになっている。
【００１７】
また、本実施形態によれば、回転操作部１７，１８は、側面壁部１６において、戸車支持枠１４を挟んだ取付枠１３の前方端面壁部１９とは反対側に露出している。
【００１８】
さらに、本実施形態によれば、戸車１２を引戸１１の高さ方向Ｘに位置調整可能とする高さ方向ネジ機構は、取付枠１３の天面壁部２０の長手方向Ｌと平行に延設すると共に、回転可能に支持されて戸車収容部１５の上部に設けられるネジロッド２１と、このネジロット２１に沿って進退可能に螺着されるスライダー部材２２と、ネジロット２１に固着されるロッド側歯車２３と、側面壁部１６に回転可能に支持されると共に上下方向の回転操作部１７を備え、且つロッド側歯車２３と一体となってギア機構を構成する操作部側歯車２４を有する上下調整用回転体２５と、戸車収容部１５に上下動可能に収容された戸車支持枠１４の上部に設けられて、スライダー部材２２と接続することにより、スライダー部材２２の進退に伴って戸車支持枠１４を上下動させる、切欠き凹部２６による上下動接続部とによって構成されている。
【００１９】
さらにまた、本実施形態によれば、戸車１２を引戸１１の巾方向Ｙに位置調整可能とする巾方向ネジ機構は、両側の側面壁部１６に跨るように設けられて回転可能に支持される巾方向調整用ネジロッド２７と、この巾方向調整用ネジロット２７に沿って巾方向Ｙに進退可能に螺着されると共に、戸車支持枠１４が連結される戸車基台部２８とによって構成される。
【００２０】
そして、本実施形態によれば、中空箱形形状の取付枠１３は、例えばポリアミド、ポリアセタール、ポリプロピレン、ポリプチレンテレフタレート等の合成樹脂を使用して、射出成形等の成形手段により形成されるもので、上端部に円弧状の横断面形状を備える、側面が縦３０〜６０ｍｍ程度、横４０〜７０ｍｍ程度、巾（厚さ）が１２〜２５ｍｍ程度の大きさの、平坦な略六面体形状を有している。また左右一対の側面壁部１６と、前方端面壁部１９と、後方端面壁部２９と、天面壁部２０とによって囲まれる内側の中空内部が、下面を開口面とした戸車収容部１５となっている。さらに、天面壁部２０には、略中央部分を貫通するようにして、当該天面壁部２０の長手方向Ｌに延設する固定ピン挿通孔３０が開口形成されていると共に、天面壁部２０の上部には、長手方向の２箇所に凹状の窪み部３１が設けられている。
【００２１】
また、左右一対の側面壁部１６には、上下方向の回転操作部１７と巾方向の回転操作部１８が臨む位置に、上下操作開口３２及び左右操作開口３３が各々開口形成されていると共に、戸車支持枠１４のピン軸３４の両端が各々挿通固定されるピン軸挿通孔３５が開口形成されている。また前方端面壁部１９には、固定ピン挿通孔３０の開口部の下方に配置されて、ネジロット２１の端面回転操作部３６が臨む位置に、端面操作開口３７が開口形成されている。
【００２２】
戸車１２を回転自在に軸支する戸車支持枠１４は、戸車１２を挟んだ両側に配置される一対の側面プレート３８を、上端部分で帯板状の連結プレート３９によってコの字断面形状に連結一体化することにより形成されており、またこれの下部において、両側の側面プレート３８に跨って設けられた回転支持軸４０に回転自在に軸支されて、戸車１２が、その下部を戸車支持枠１４から下方に突出させた状態で、一対の側面プレート３８の間に取り付けられることになる。
【００２３】
また、各側面プレート３８の戸車基台部２８側には、当該戸車基台部２８側に突出して、ピン軸連結リブ４１が設けられており、このピン軸連結リブ４１に開口形成されたピン軸挿通孔４２に、ピン軸３４を挿通するようにして戸車支持枠１４が取り付けられることにより、戸車支持枠１４は、ピン軸３４を中心として回転可能な状態で、取付枠１３の戸車収容部１５に配設されることになる。また戸車基台部２８には、後述するように、戸車支持枠１４側に突出して、一対の側面プレート３８間の巾と略同様の巾を有する挟込み縦リブ４３が設けられており、一対のピン軸連結リブ４１によって両側から挟込み縦リブ４３を挟み込むようにしつつ、ピン軸連結リブ４１を介して戸車支持枠１４がピン軸３４に軸支されるようになっている。ピン軸連結リブ４１によって挟込み縦リブ４３を挟み込むようにして戸車支持枠１４が戸車基台部２８に連結されていることにより、戸車基台部２８の巾方向Ｙへの移動に伴って、戸車支持枠１４は、巾方向Ｙにスライド移動できるようになっている。なお、戸車支持枠１４の一対の側面プレート３８の外側面間の巾は、戸車収容部１５の中空巾よりも例えば４〜１０ｍｍ程度小さくなっており、この小さくなった範囲で戸車支持枠１４をスライド移動させることにより、戸車１２を引戸１１の巾方向Ｙに位置調整できるようになっている。
【００２４】
さらに、戸車支持枠１４の上部には、スライダー部材２２を遊嵌接続させる切欠き凹部２６が、上下動接続部として設けられている。切欠き凹部２６は、戸車支持枠１４の上端面を構成する連結プレート３９の長手方向Ｌの中間部分から一対の側面プレート３８の上部に亘って、側面形状が略矩形となるように切り欠かれて形成されている。切欠き凹部２６には、スライダー部材２２の下半部分を遊嵌係止できるようになっている。スライダー部材２２を取付枠１３の後方端面壁部２９側に移動させて、下半部分の略全体が切欠き凹部２６に挿入係止され、連結プレート３９がネジロット２１と略平行に配置された状態では（図３（ａ）参照）、戸車１２が取付枠１３の下方に僅かに突出した状態となる。またスライダー部材２２を取付枠１３の前方端面壁部１９側に移動させて、戸車支持枠１４をピン軸３４を中心に回動させることにより連結プレート３９をネジロット２１に対して前方に傾けさせた状態では（図３（ｂ）参照）、戸車１２の取付枠１３の下方への突出量が増加することになるので、スライダー部材２２をネジロット２１に沿って長手方向Ｌにスライド移動させることにより、戸車１２を引戸１１の高さ方向Ｘに位置調整することが可能になる。
【００２５】
そして、本実施形態によれば、高さ方向ネジ機構を構成するネジロッド２１は、戸車収容部１５の上部において、両端が戸車収容部１５の内壁面に形成された段差部や凹部に回転可能に係止されることにより、天面壁部２０の長手方向Ｌに沿って、固定ピン挿通孔３０と平行に延設して設けられる。ネジロッド２１には、これの略全長に亘って外周面に雄ネジが設けられており、雌ネジ孔を有するスライダー部材２２が螺着されることになる。また、本実施形態によれば、ネジロッド２１の前方端面壁部１９側の端部には、円盤形状の端面回転操作部３６が一体接合されて取り付けられており、この端面回転操作部３６を戸車収容部１５の内壁面の段差部に係止することにより、ネジロッド２１の一方の端部が回転可能に支持される。端面回転操作部３６の外側面は、前方端面壁部１９に開口形成された端面操作開口３７に臨んで配置されることにより、端面回転操作部３６に対する前方端面壁部１９側からの操作によっても、ネジロッド２１を回転させて、スライダー部材２２をネジロット２１に沿ってスライド移動させることができるようになっている。
【００２６】
ネジロッド２１に沿って進退可能に螺着されるスライダー部材２２は、雌ネジ孔を有する略六面体形状の部材であって、例えば前方端面壁部１９側から視た正面形状が、戸車収容部１５の上半部分の正面形状と略合致する矩形形状を備えていることにより、当該スライダー部材２２自体の回転が阻止されて、ネジロッド２１の回転に伴う共廻りが防止されることになる。また、ネジロッド２１の回転によって、スライダー部材２２がネジロッド２１に沿って長手方向Ｌに進退スライドすることにより、上下動接続部である切欠き凹部２６を介して戸車支持枠１４の傾倒角度を調整することが可能になり、これによって戸車１２の突出量を制御して、高さ方向Ｘの位置調整を行うことができるようになっている。なお、スライダー部材２２は、天面壁部２０の下面から下方に突出して設けられたストッパー突起４４に当接することにより、前方端面壁部１９側への移動が規制されており、これによって、スライダー部材２２が切欠き凹部２６から外れたり、戸車支持枠１４の側面プレート３８が取付枠１３の下方に飛び出したりするのを効果的に回避することが可能になる。
【００２７】
ネジロット２１に固着されるロッド側歯車２３は、スライダー部材２２よりも後方端面壁部２９側に配置されて、ネジロット２１と同心状に一体接合される歯車である。ロッド側歯車２３は、上下調整用回転体２５設けられた操作部側歯車２４と歯合して、この操作部側歯車２４と共にギア機構を構成することにより、上下調整用回転体２５の回転操作部１７による、取付枠１３の側面壁部１６に沿った面における回転を、ネジロット２１の回転にスムーズに変換する。
【００２８】
取付枠１３の側面壁部１６に回転可能に支持されて取り付けられる上下調整用回転体２５は、例えば円形ドラム形状を有する回転体である。上下調整用回転体２５は、外側の回転操作部１７を側面壁部１６に開口形成された上下操作開口３２に臨ませると共に、内側の操作部側歯車２４を戸車収容部１５においてロッド側歯車２３と歯合させた状態で取り付けられる。そして、取付枠１３の側面壁部１６側からの回転操作部１７に対する操作によって、上下調整用回転体２５を左右に回転させると共に、操作部側歯車２４及びロッド側歯車２３によるギア機構を介して、ネジロット２１を左右に回転させることにより、スライダー部材２２を進退させて、戸車１２の高さを容易に調整することが可能になる。
【００２９】
また、本実施形態によれば、巾方向ネジ機構を構成する巾方向調整用ネジロッド２７は、略全長に亘って外周面に雄ネジが設けられると共に、両側の端面部が巾方向の回転操作部１８となった略円柱形状を有する部材である。巾方向調整用ネジロッド２７は、両側の回転操作部１８を、取付枠１３の側面壁部１６に開口形成された左右操作開口３３に臨ませた状態で、当該左右操作開口３３に各々填め込むようにして取り付けることにより、両側の側面壁部１６に跨るようにして回転可能に支持されることになる。
【００３０】
巾方向調整用ネジロッド２７に螺着される戸車基台部２８は、略六面体形状を有する部材であって、後方端面壁部２９と接触する面にスライドガイド突状４５ａ，４５ｂが上下に平行に突出して設けられていると共に、戸車支持枠１４側の面には、挟込み縦リブ４３が突出して設けられている。戸車基台部２８は、中央部分を巾方向Ｙに貫通する雌ネジ孔を介して巾方向調整用ネジロッド２７に螺着されることにより、巾方向調整用ネジロッド２７の回転に伴ってスライド移動する。また、後方端面壁部２９の内側面には、スライドガイド突状４５ａ，４５ｂをスライド可能に係止させるスライドガイド溝４６ａ，４６ｂが、上下に平行に延設して設けられていると共に、挟込み縦リブ４３の先端部分には、ピン軸３４の外周面に沿った半円形状の凹状切欠きが形成されており、スライドガイド突状４５ａ，４５ｂとスライドガイド溝４６ａ，４６ｂとのスライド可能な係合状態と、挟込み縦リブ４３の凹状切欠きとピン軸３４とのスライド可能な係合状態とによって強固に支持されつつ、戸車基台部２８は、それ自体が回転することなく安定した状態で巾方向Ｙにスライド移動することが可能になる。またこれによって、戸車基台部２８に連結一体化された戸車支持枠１４及び戸車１２もまた、引戸１１の巾方向Ｙに安定した状態でスライド移動することが可能になる。
【００３１】
なお、戸車基台部２８の長さ（巾）は、戸車支持枠１４の一対の側面プレート３８の外側面間の巾と同様に、戸車収容部１５の中空巾よりも例えば４〜１０ｍｍ程度小さくなっており、この小さくなった範囲で戸車収容部１５と共に戸車基台部２８をスライド移動させることにより、戸車１２を引戸１１の巾方向Ｙに位置調整できるようになっている。
【００３２】
上述の構成を備える本実施形態の戸車装置１０は、従来の戸車装置１０と同様の方法によって、引戸１１の下端角部に取り付けられる。すなわち、図１に示すように、引戸１１の下端角部にルーター等を用いて予め切欠き形成された、戸車装置１０の外径形状と合致する形状の取付け凹部４７に、戸車装置１０を填め込むようにして設置した後に、固定ピン挿通孔３０を介して固定ピン４８を打ち込むことにより、戸車装置１０は、強固かつ安定した状態で、引戸１１の下端角部に容易に固定されることになる。また、引戸１１の下端部側面には、戸車装置１０が取り付けられた際の、上下方向の回転操作部１７及び巾方向の回転操作部１８と合致する位置に、操作部用開口４９が開口形成されており、これらの操作部用開口４９を介して、引戸１１の側面から、戸車装置１０に対する戸車１２の位置調整を行うための操作を行うことができるようになっている。なお、戸車１２の位置調整のための操作を行わない間は、操作部用開口４９に例えばゴム製のキャップ５０を取り付けておくことにより、操作部１７，１８を目立たないようにしておくことができる。
【００３３】
そして、本実施形態の戸車装置１０によれば、引戸の設置後に、戸車の高さ方向及び巾方向の位置調整を容易且つ精度良く行うことができる。すなわち、本実施形態によれば、取付枠１３に設けられたネジ機構を介して、取付枠１３の内側の戸車収容部１５で戸車支持枠１４を揺動又はスライド移動させることにより、戸車１２の位置調整が行われるようになっており、且つネジ機構の操作は、取付枠１２の側面壁部１６に露出する回転操作部１７，１８を介して行われるので、引戸１１の側面に対する例えば出入口の正面からの操作によって、容易且つ精度良く位置調整を行うことが可能になる。また引戸１１の小口面との間に操作用の空間を必要としないこから、例えば開口枠の内側面に引戸の小口面を当接させた状態のまま、隙間を見ながら引戸の傾きを精度良く調整することが可能になると共に、戸袋に出し入れ可能に収容される引戸に対して、当該引戸を取り外すことなく、設置したままの状態でも位置調整を容易に行うことが可能になる。
【００３４】
また、本実施形態によれば、回転操作部１７，１８は、側面壁部１６において、戸車支持枠１４を挟んだ取付枠１３の前方端面壁部１９とは反対側に露出しているので、当該回転操作部１７，１８は、引戸１１の小口面から相当程度離れた位置に配置されることになり、したがって例えば引戸１１が引違戸を構成するものであって、端部において相互に重なる部分が生じていても、この重なる部分を回避した位置で、引戸１１の側面から、位置調整のための操作を容易に行うことが可能になる。
【００３５】
なお、本発明は上記実施形態に限定されることなく種々の変更が可能である。例えば、回転操作部を、戸車支持枠を挟んだ取付枠の前方端面壁部とは反対側に露出させて設ける必要は必ずしもない。また、戸車を高さ方向に位置調整可能とするネジ機構や、戸車を巾方向に位置調整可能とするネジ機構は、上記実施形態の構成に限定されることなく、その他の種々の構造のものを採用することができる。さらに、戸車収容部の上部に設けられるネジロットを、取付枠の前方端面壁部の端面回転操作部からの操作によっても回転するように構成する必要は必ずしもない。
【図面の簡単な説明】
【００３６】
【図１】本発明の一実施形態に係る戸車装置を引戸の下端角部に取り付ける状況を説明する斜視図である。
【図２】（ａ）は本発明の一実施形態に係る戸車装置の側面図、（ｂ）は（ａ）を左方から視た端面図、（ｃ）は（ａ）を下方から視た底面図である。
【図３】（ａ）及び（ｂ）は本発明の一実施形態に係る戸車装置の側断面図である。
【符号の説明】
【００３７】
１０  戸車装置
１１  引戸
１２  戸車
１３  取付枠
１４  戸車支持枠
１５  戸車収容部
１６  側面壁部
１７  上下方向の回転操作部
１８  巾方向の回転操作部
１９  前方端面壁部
２０  天面壁部
２１  ネジロット
２２  スライダー部材
２３  ロッド側歯車（ギア機構）
２４  操作部側歯車（ギア機構）
２５  上下調整用回転体
２６  切欠き凹部（上下動接続部）
２７  巾方向調整用ネジロット
２８  戸車基台部
３２  上下操作開口
３３  左右操作開口
３６  端面回転操作部
３７  端面操作開口
４３  挟込み縦リブ
Ｘ    引戸の高さ方向
Ｙ    引戸の巾方向
Ｌ    天面壁部の長手方向
【図１】
2005155271.tif 000003
【図２】
2005155271.tif 000004
【図３】
2005155271.tif 000005